(57)【要約】【課題】バッグ、小物入れなど、特別の物を使用することなく、小銭を携帯でき、しかもウオーキング中の小銭の動き（あばれ）を生じさせない歩数計を提供する。【解決手段】本体ケース１２と、カバーケース１３とがヒンジ１５によって開閉自在とされ、カバーケース１３の外面に使用者のベルト、服などに取り付けるためのつまみ１７を有する歩数計において、カバーケース１３の内側に、ヒンジ１５に沿う方向に帯状の弾性部材１９を設け、この弾性部材１９とカバーケース１３の内面とによりポケット２０を形成し、このポケット２０を硬貨収納部として使用する。硬貨１８は、ポケット２０に収納され、弾性部材１９の弾性復帰力により保持され、ウオーキング中に歩数計本体が動いても、硬貨１８は、カバーケース１３内で動かない。【選択図】  図４
2008020267.tif 000002
【特許請求の範囲】
【請求項１】
使用者の歩行を検出する加速度センサを本体に内蔵した歩数計において、前記歩数計は、硬貨を収納するための金銭収納部を備え、前記金銭収納部は、収納された硬貨のあばれを抑制するためのあばれ抑制部材を備えたことを特徴とする歩数計。
【請求項２】
前記本体を使用者の身体に装着するための装着部をさらに備え、前記金銭収納部は前記装着部に設けられたことを特徴とする請求項1記載の歩数計。
【請求項３】
前記金銭収納部は、前記本体外側に設けたポケットであり、前記あばれ抑制部材は、前記ポケットを構成する伸縮素材であることを特徴とする請求項1記載の歩数計。
【請求項４】
前記本体は、開閉可能なカバーケースをさらに備え、前記金銭収納部は、前記カバーケースの内側に設けたポケットであり、前記あばれ抑制部材は、前記ポケットを構成する弾力性素材であることを特徴とする請求項1記載の歩数計。
【請求項５】
前記本体を使用者の腕に装着するための伸縮性バンドをさらに備え、前記金銭収納部は、前記伸縮性バンドと前記本体との間に設けられ、前記あばれ抑制部材は、前記伸縮性バンドであることを特徴とする請求項１記載の歩数計。
【請求項６】
前記本体を使用者の腕に装着するための伸縮性バンドと、前記本体をバンドに固定する固定部とをさらに備え、前記あばれ抑制部材は、前記本体に設けたクッション材であることを特徴する請求項１記載の歩数計。
【請求項７】
前記金銭収納部は、硬貨を挿抜するためのスリットであり、前記あばれ抑制部材は、前記スリットを形成する部材であることを特徴とする請求項２記載の歩数計。
【発明の詳細な説明】
【技術分野】
【０００１】
この発明は、歩数計、特に硬貨・紙幣の収納部を備えた歩数計に関する。
【背景技術】
【０００２】
近年、メタボリックシンドローム（代謝症候群）の予防手段として、ウオーキングが有効であることが知られ、ウオーキングの効果検証や継続意欲高揚のため歩数計が利用されている。
【０００３】
この種の歩数計は、本体が小型偏平、卵型あるいは長方形状で、本体側部に使用者の身体に装着するための装着部を持つもの、あるいは装着部を持たず本体のみで使用時にポケットやバッグなどに入れるタイプのもの等が一般に市販されている。
【０００４】
ところで、いろいろな機能を兼ね備え有用性を倍加させたベルトを提供するものとしてベルトのバックルの側部に歩数計を設けた万能ベルトが開示されている（例えば特許文献１参照）。さらに手首の表側に小銭などが入れられるバッグを備えた小物貴重品入れバッグ付き腕輪バンドが開示されている（例えば特許文献２参照）。
【特許文献１】実開平６―２２３２３号公報
【特許文献２】実開昭６２―２０３６１２号公報
【発明の開示】
【発明が解決しようとする課題】
【０００５】
ウオーキングを行う人はできるかぎり携帯品を少なくしたい要望があるが、また、ウオーキング中は適度な水分摂取が望ましく、飲料もしくは飲料購入用の金銭を持ち歩くことを要望する。特に、その他の予期せぬことのために小銭の所持が欠かせない。そのため、例えば特許文献１のベルトを使用し、ベルトのポケットに小銭を入れるか、あるいは、特許文献２の小物貴重品入れバッグに小銭を入れて携帯することが考えられるが、いずれの場合も、歩数計以外に特別な構成の万能ベルト、腕輪バンドを必要とし、できるだけ携帯品を少なくするという要求に沿えないという問題がある。
【０００６】
そこで、歩数計に対して小銭の収納部を設けることにより、特別の物品を設けることなく、小銭をウオーキング時に携帯することが考えられる。しかし歩数計は、内蔵した加速度センサにより使用者の体動を検出するのが一般的な構成である。そのため、単なる小銭収納部を設けるとウオーキング時に硬貨が収納部内で自由に動いてしまい、加速度センサによる使用者の体動の検出に影響を及ぼす可能性があるという歩数計特有の問題がある。
【０００７】
この発明は、上記問題点に着目してなされたものであって、バッグ、小物入れなど、特別の物を使用することなく硬貨を携帯でき、しかもウオーキング中の硬貨の動き（あばれ）を生じさせない歩数計を提供することを目的とする。
【課題を解決するための手段】
【０００８】
この発明の歩数計は、使用者の歩行を検出する加速度センサを本体に内蔵した歩数計において、硬貨を収納するための金銭収納部を備え、前記金銭収納部は、収納された硬貨のあばれを抑制するためのあばれ部材を備えることを特徴とする。
【０００９】
この発明の歩数計において、前記本体を使用者の身体に装着するための装着部をさらに備え、前記金銭収納部は前記装着部に設けると良い（実施形態２、実施形態６、実施形態７）。
【００１０】
また、この発明の歩数計において、前記金銭収納部は、前記本体外側に設けたポケットであり、前記あばれ抑制部材は、前記ポケットを構成する伸縮素材であることが好ましい（実施形態１）。
【００１１】
また、この発明の歩数計において、前記本体は、開閉可能なカバーケースをさらに備え、前記金銭収納部は、前記カバーケース内側に設けたポケットであり、前記あばれ抑制部材は、前記ポケットを構成する弾力性素材であることが好ましい（実施形態２）。
【００１２】
また、この発明の歩数計において、前記本体を使用者の腕に装着するための伸縮性バンドをさらに備え、前記金銭収納部は、前記バンドと前記本体との間に設けられ、前記あばれ抑制部材は、前記伸縮性バンドであることが好ましい（実施形態３、実施形態５）。
【００１３】
また、この発明の歩数計において、前記本体を使用者の腕に装着するための伸縮性バンドと、前記本体をバンドに固定する固定部とをさらに備え、前記あばれ抑制部材は、前記本体に設けたクッション材であることが好ましい（実施形態４）。
【００１４】
また、この発明の歩数計において、前記金銭収納部は、硬貨を挿抜するためのスリットであり、前記あばれ抑制部材は、前記スリットを形成する部材であることとしても良い（実施形態６、実施形態７）。
【発明の効果】
【００１５】
この発明によれば、収納された硬貨のあばれを抑制する部材を有する金銭収納部を備えているので、この金銭収納部に収納した小銭を抑制部材で保持することにより、金銭収納部内での小銭のあばれを抑制でき、したがって、加速度センサなどによる体動の検出に影響を与えることなく、結果として歩数検出の精度を落とすことなく小銭を歩数計に保持してウオーキングすることができる。
【発明を実施するための最良の形態】
【００１６】
以下、実施の形態により、この発明をさらに詳細に説明する。
【００１７】
＜実施形態１＞
図１〜図３を参照して、実施形態１の歩数計を説明する。図１は,この実施形態１の歩数計の外観斜視図である。又、図２の（ａ）に平面図、図２の（ｂ）に背面図、図２の（ｃ）に側面図を示している。この実施形態歩数計は、本体が略卵型の形状をしたものであって、身体に取り付けるための装着部（つまみ）を持たず、使用する際は、ポケットにいれる、あるいは他の携帯物、バッグなどに入れてウオーキングする、フリー装着型とよばれるものである。この歩数計の本体１は、下部ケース2と上部ケース３とを備え、上部ケース3の表面には、表示部４と、操作ボタン５が配置されている。下部ケース２内には、体動を検出するための加速度センサ、体動検出の計数等の処理を行う回路部等を収納している。もっとも,これらの構成は、従来のものと、特に変るところはない。
【００１８】
この実施形態歩数計の特徴は、本体１の下部ケース２の、外面下半分に図２の（ｂ），（ｃ）に示すように、伸縮性シート６でなるポケット７を設けたことである。このポケット７を構成する伸縮性シート６は、両側部６ａ、６ｂと、下部６ｃが、上部ケース３と下部ケース２とを一体に接合する際に接合部に、挟み込むことにより、本体１に装着している。なお、下部ケース２の外面と伸縮性シート６の上部６ｄとの間には,開口が形成されており、下部ケース２の外面と伸縮性シート６とでポケット７が構成されている。この実施形態では、ポケット７が硬貨収納部となる。
【００１９】
ポケット７に何も装着していない場合は、図２の（ｃ）に示すように、伸縮性シート６は、下部ケース２の外面とほぼ密着状態にある。
【００２０】
硬貨をポケット７に入れる際は、図３に示すように、ポケット７の伸縮性シート６の開口部６ｄを横外方に引っ張ると共に、上方から硬貨８を入れる。挿入後ポケット７の開口部６ｄの引っ張りを元に戻すと、挿入された硬貨８は、ポケット７の伸縮性シート６の伸縮力により、保持され、たとえウオーキングで歩数計自体が動いても、硬貨８は、ポケット７内で動くことなく,あばれ（動き）が抑制される。
【００２１】
＜実施形態２＞
図4〜図6を参照して、実施形態２の歩数計を説明する。図４は、この実施形態歩数計の蓋を開いた状態の外観斜視図である。図５の（ａ）は、図4に示す歩数計の正面図、図5の（ｂ）は、図5の（ａ）に示すＡ―Ａ線で切断した断面図である。この実施形態歩数計は、本体１１が、平面視略長方形状をしたものであって、本体ケース１２と、カバーケース１３とが、ヒンジ1５によって開閉自在に構成され、且つカバーケース13の外周には、使用者のズボンのベルト、服のポケット等に取り付けるための装着用のつまみ（装着部）17を有するつまみ装着型とよばれるものである。
【００２２】
本体ケース12内に,体動検出センサ、回路部などが収納され、本体ケース12の表面に,表示部４、操作ボタン５が配置されている。使用に際しては、本体ケース１２がカバーケース１３に閉じられた状態で、つまみ１７をベルトなどに取り付け、ウオーキングする。ウオーキング途中で歩数を見たい場合は、つまみ１７を取り付けたままで、本体ケース１２をカバーケース１３から開き、表示部４を確認する。もっとも、これらの構成は、従来のものと変るところはない。
【００２３】
この実施形態歩数計の特徴は、本体１１のカバーケース１３の内側に、ヒンジ１５に沿う方向に、帯状の弾性部材１９を設け、この弾性部材１９とカバーケース１３の内面とにより、ポケット２０を形成したことである。このポケット２０は、弾性部材１９とカバーケース１３の内面とが、ほぼ接触した状態にあり、弾性部材１９は、カバーケース１３の内面に密着する方向に付勢されるような弾性を備えている。上端辺１９ａを手前に引くことにより、ポケット２０の弾性部材１９に、弾性があるので、そこに若干の開口ができる。この実施形態では、ポケット２０が硬貨収納部となる。
【００２４】
この開口より、硬貨１８を挿入することにより、図４、図６に示すように、ポケット２０に硬貨１８を保持することができる。硬貨１８を挿入した状態では、ポケット２０の弾性部材１９が有する、カバーケース１３の内面に密着する方向への弾性力により、硬貨１８は保持され、たとえ、ウオーキングで歩数計自体が動いても、硬貨１８は、ポケット２０で動くことなく、あばれが抑制される。特に、ポケット２０は、つまみ１７を設けた装着部であるカバーケース１３の内側に設けられているので、使用中は本体ケース１２とカバーケース１３の開閉に関わらず常に図４に示す立った状態にあり、硬貨２０の転がり落ちなどの恐れがなく、なお、硬貨１８の動きが抑制される。
【００２５】
＜実施形態３＞
図７〜図９を参照して、実施形態３の歩数計を説明する。図７は、この実施形態歩数計の外観斜視図である。この実施形態歩数計は、本体がバンドに取り付けられ、腕をバンドに挿通することにより、歩数計を腕に装着するタイプのものである。この種のリング状のバンドに本体を取り付けた構成自体は、特に新規なものではない。  
【００２６】
この、実施形態歩数計の特徴は、本体３１が、リング状のバンド３２に取り付けられたものにおいて、本体３１を、本体部３３とバンド装着部３４とから構成し、本体部３３とバンド装着部３４は、ヒンジ３５により開閉自在とするとともに、バンド３２を伸縮性の物とし、本体３１のバンド装着部３４内の、内部底面３４ｇとバンド３２間で硬貨収納部３６を構成したことである。
【００２７】
本体部３３の上面には、表示部４、操作ボタン５が配置されている。また、図示していないが、本体部３３内には、加速度センサ、信号処理回路等が収納されている。さらに、また、バンド装着部３４の前後方向（バンド挿通方向）の側壁３４ａ、３４ｂに、バンド挿通用の長穴３４ｃ、３４ｄが形成され、ここにバンド３２が挿通されている。また、バンド装着部３４の左右方向の一方の側壁３４ｅのみに切り欠き３４ｆが形成されている。また、本体部３３には、切り欠き３４ｆ側の側部に、下方に向けて側壁３３ａを形成し、本体部３３をバンド装着部３４に閉じると、バンド装着部３４内（硬貨収納部３６）は、外部より密封される。
【００２８】
図７の（ａ）に、本体部３３とバンド装着部３４を閉じた状態を示しており、図７の（ｂ）に、本体部３３をバンド装着部３４から開いた状態を示している。ウオーキング中は、図７の（ａ）に示す状態で、バンド３２を腕に装着して使用する。
【００２９】
硬貨収納部３６に硬貨３８を装着していない場合の概略断面図を図８の（ａ）に示している。硬貨３８を硬貨収納部３６に装着する場合は、バンド装着部３４から本体部３３を開け、バンド装着部３４の切り欠き３４ｆ部分から、バンド装着部３４の内部底面３４ｇとバンド３２間に硬貨３８を挿入する。バンド３２に伸縮性があるので、硬貨３８は、図８の（ｂ）に示すように、バンド３２と内部底面３４ｇとの間で保持され、たとえウオーキング゛により、歩数計が動いても、硬貨３８は、動くことなく、あばれが抑制される。
【００３０】
＜実施形態４＞
図９は、実施形態４の歩数計を示し、図９の（ａ）は、その外観斜視図、図９の（ｂ）は、図９のＣ−Ｃ線で切断した概略断面図である。この実施形態歩数計も、本体がバンドに取り付けられ、腕をバンドに挿通することにより、歩数計を腕に挿着するタイプのものである。
【００３１】
この実施形態歩数計は、本体４１が、リング状のバンド４２に取り付けられたものにおいて、本体４１を、本体部４３とバンド装着部４４とから構成し、本体部４３とバンド装着部４４は、ヒンジ４５により開閉自在としている。
【００３２】
本体部４３の上面には、図７の場合と同様の表示部４と操作ボタン５が配置されている。本体部４３内には、加速度センサ、信号処理回路等が収納されている。また、バンド装着部４４は、四辺形状で、上方開口有底のケース体であり、前後方向（バンド挿通方向）の側壁４４ａ、４４ｂにバンド挿通用の長穴４４ｃ、４４ｄが形成され、ここにバンド４２が挿通されている。本体部４３の裏面４３ａにクッション材４９が設けられ、このクッション材４９とバンド装着部４４内のバンド４２とで、硬貨収納部４６を構成している。
【００３３】
実施形態３の歩数計とは相違し、この実施形態歩数計では、硬貨収納部４６へ硬貨４８を収納する場合、図９の（ａ）に示すように、本体部４３とバンド装着部４４とを開いた状態で、硬貨４８をバンド装着部４４内（硬貨収納部４６）のバンド４２上に載置する。そして、本体部４３を閉じる。閉じた状態で、クッション材４９により硬貨４８が圧接され、硬貨収納部４６内で、硬貨４８を固定保持する。クッション材４９により、硬貨４８が圧接保持されるので、たとえウオーキングにより歩数計が動いても、硬貨４８は動くことなく、あばれが抑制される。
【００３４】
＜実施形態５＞
図１０、図１１を参照して実施形態５の歩数計を説明する。図１０の（ａ）は、この実施形態歩数計を示す外観斜視図、図１０の（ｂ）は、その本体部の側面図、図１１の（ａ）は、その本体部の平面図、図１１の（ｂ）は、Ｄ−Ｄ線で切断した概略断面図である。この実施形態歩数計も、本体がバンドに取り付けられ、腕をバンドに装着することにより、歩数計を腕に装着するタイプのものである。もっとも、この実施形態歩数計は、図９に示したもののように、本体部とバンド装着部が開閉可能に構成されるものではなく、本体部５３の下部に、前後方向（バンド挿通方向）にバンド５２を装着するバンド係止部５４ａ，５４ｂが形成されている。また、バンド５２は、本体部５３に対応する部分５２ａが、その他のバンド部分５２ｂに比して幅広に構成されており、この部分５２ａでは、平面視すると図１１の（ａ）に示すように、本体部５３の幅部分より、左右外側に突出した突出部５２ｃ、５２ｄを形成している。
【００３５】
この実施形態歩数計においては、本体部５３と、装着されたバンド５２の部分５２ａとの間で硬貨収納部５６が形成される。この硬貨収納部５６に、硬貨５８を収納する場合は、バンド５２の部分５２ａの突出部５２ｃより図１１の（ｂ）に示すように、硬貨５８を押し込み、本体部５３とバンド５２の部分５２ａとの間に硬貨５８を収納保持する。
【００３６】
バンド５２に、伸縮性、弾力性があるので、挿入収納された硬貨５８は、バンド５２の部分５２ａによって、本体部５３の底部に圧接保持され、たとえ、ウオーキングにより、歩数計が動いても、硬貨５８は動くことなく、あばれが抑制される。
【００３７】
<実施形態６＞
図１２、図１３を参照して実施形態６の歩数計を説明する。図１２の（ａ）は、この実施形態歩数計の前方より見た外観斜視図、図１２の（ｂ）は、Ｅ−Ｅ線で切断した概略断面図、図１３は後方より見た外観斜視図である。この実施形態歩数計は、本体６１が、平面視略長方形状したものであって、本体ケース６２と、カバーケース６３がヒンジ６５によって、開閉自在に構成され、かつカバーケース６３の外面に使用者のズボンのベルト服のポケットなどに取り付けるためのつまみ（装着部）６７を有するつまみ装着型とよばれるものであり、本体ケース６２の表面に表示部４、操作ボタン５が配置されている。本体ケース６２内には、加速度センサ、信号処理回路等が収納されている。この基本的な構成は、実施形態２のものと同様である。
【００３８】
この実施形態歩数計の特徴は、本体６１のカバーケース６３の内側に硬貨収納部６６を設けたことである。この硬貨収納部６６は、図１２の（ａ）、（ｂ）に示すように、カバーケース６３の内側に、カバーケース６３と一体的に形成され、全体としての形状が偏平直方体状であって、この直方体状の薄肉部内に、長辺側部の一方に開口し,三方の側部が閉じられたスリット６９を形成し、このスリット６９が、カバーケース６３のヒンジ６５とは反対側の側壁６３ａに開口するようにしたものである。
【００３９】
この実施形態歩数計を用いてウオーキングするときは、つまみ６７によって、ベルト、ポケットなどに装着されるので、本体ケース６２がカバーケース６３に閉じられているか開かれているかに関わらず、図１２、図１３に示すカバーケース６３の姿勢で装着されている。  そのため、ウオーキング中に硬貨６８を携帯する場合は、スリット６９に、上方から硬貨６８を滑り込ませて、図１２、図１３に示すように、硬貨６８をスリット６９に装着する。上記したように、ウオーキング中は、カバーケース６３に対し、本体ケース６２が開かれていようと閉じられていようと、カバーケース１３のスリット６９は立った姿勢を変化することなく、硬貨６８は、スリット６９内に保持されたままであり、たとえウオーキング中に歩数計自体が動いても、硬貨６８は動くことなく、あばれが抑制される。
【００４０】
<実施形態７＞
図１４、１５を参照して実施形態７の歩数計を説明する。図１４は、この実施形態歩数計の前方より見た外観斜視図、図１５の（ａ）は、図１４の歩数計の正面図、図１５の（ｂ）は、図１５の（ａ）のＦ−Ｆ線で切断した断面図である。この実施形態歩数計は、本体７１が、平面視略長方形状したものであって、本体ケース７２と、カバーケース７３がヒンジ７５によって、開閉自在に構成され、かつカバーケース７３の外面に使用者のズボンのベルト、服のポケットなどに取り付けるためのつまみ（装着部）を有するつまみ装着型とよばれるものであり、本体ケース７２の表面に表示部４、操作ボタン５が配置されている。本体ケース７２内には、加速度センサ、信号処理回路等が収納されている。この基本的な構成は、実施形態２のものと同様である。
【００４１】
この実施形態歩数計の特徴は、本体７１のカバーケース７３の内側に硬貨収納部７６を設けたことである。この硬貨収納部７６は、図１４、図１５に示すように、カバーケース７３の内面に、突出片７９ａ、７９ｂ、７９ｃを設け、この突出片７９ａと７９ｂの間に形成されるスリット（凹部）７９ｄ、突出片７９ｂと７９ｃの間に形成されるスリット（凹部）７９ｅに、硬貨７８を収納するようにしている。
【００４２】
この実施形態歩数計を用いてウオーキングするときは、つまみによって、ベルト、ポケットなどに装着されるので、本体ケース７２がカバーケース７３に閉じられているか開かれているかに関わらず、図１４、図１５に示すカバーケース７３の姿勢（立った状態）で装着されている。  そのため、ウオーキング中に硬貨７８を携帯する場合は、スリット７９ｄ、７９ｅに、上方から硬貨７９を滑り込ませて、図１４に示すように、硬貨７８をスリット７９ｄ、７９ｅに装着する。上記したように、ウオーキング中は、カバーケース７３に対し、本体ケース７２が開かれていようと閉じられていようと、カバーケース７３のスリット７９ｄ，７９ｅは姿勢を変化することなく、硬貨７８は、スリット７９ｄ，７９ｅ内に保持されたままであり、たとえウオーキング中に歩数計自体が動いても、硬貨７８は動くことなく、あばれが抑制される。
【図面の簡単な説明】
【００４３】
【図１】この発明の実施形態１の歩数計の外観斜視図である。
【図２】同実施形態１の歩数計の平面図（ａ）、背面図（ｂ）、及び側面図（ｃ）である。
【図３】同実施形態１の歩数計の硬貨収納部に硬貨を収納する場合を説明する図である。
【図４】この発明の実施形態２の歩数計の外観斜視図である。
【図５】同実施形態２の歩数計の正面図（ａ）、およびＡ−Ａで切断した概略断面図（ｂ）である。
【図６】同実施形態２の歩数計の硬貨収納部に、硬貨を収納した場合を説明する概略断面図である。
【図７】この発明の実施形態３の歩数計の本体部をバンド装着部に対して閉じた場合の外観斜視図（ａ）、及び本体部をバンド装着部に対して開いた場合の外観斜視図（ｂ）である。
【図８】同実施形態３の歩数計のＢ−Ｂで切断した概略断面図である。
【図９】この発明の実施形態４の歩数計の外観斜視図（ａ）、及びＣ−Ｃで切断した概略断面図（ｂ）である。
【図１０】この発明の実施形態５の歩数計の外観斜視図（ａ）、及び側面図（ｂ）である。
【図１１】同実施形態５の歩数計の平面図（ａ）、及びＤ−Ｄで切断した概略断面図（ｂ）である。
【図１２】この発明の実施形態６の歩数計の前方より見た外観斜視図（ａ）、及びＥ−Ｅで切断した概略断面図（ｂ）である。
【図１３】同実施形態６の歩数計の後方より見た外観斜視図である。
【図１４】この発明の実施形態７の歩数計の前方より見た外観斜視図である。
【図１５】同実施形態７の歩数計の正面図（ａ）、及びＦ−Ｆで切断した断面図（ｂ）である。
【符号の説明】
【００４４】
１、１１、３１、４１、５１、６１、７１    本体
２、６２                                  下部ケース
３                                        上部ケース
４                                        表示部
５                                        操作ボタン
６                                        伸縮性シート
７、２０                                  ポケット
８、１８、３８、４８、５８、６８、７８    硬貨
１２、６２、７２                          本体ケース
１３、６３、７３                          カバーケース
１５、３５、４５、６５、７６              ヒンジ
１７、６７                                つまみ
１９                                      弾性部材
３２、４２、５２                          バンド
３３、４３、５３                          本体部
３４、４４、５４                          バンド装着部
３６、４６、５６、６６、７６              硬貨収納部
４９                                      クッション材
６９、７９ｄ、７９ｅ                      スリット
【図１】
2008020267.tif 000003
【図２】
2008020267.tif 000004
【図３】
2008020267.tif 000005
【図４】
2008020267.tif 000006
【図５】
2008020267.tif 000007
【図６】
2008020267.tif 000008
【図７】
2008020267.tif 000009
【図８】
2008020267.tif 000010
【図９】
2008020267.tif 000011
【図１０】
2008020267.tif 000012
【図１１】
2008020267.tif 000013
【図１２】
2008020267.tif 000014
【図１３】
2008020267.tif 000015
【図１４】
2008020267.tif 000016
【図１５】
2008020267.tif 000017